(57)【要約】【課題】発光チップから発光する光を波長変換して放出する場合の指光性を広くするものである。【解決手段】平板状の基板１の一側面に発光チップ２を取り付け、この発光チップの周囲には波長変換材を混入したモールド樹脂６を硬化させ、このモールド樹脂の周囲に透光性樹脂８を設けたことにより、発光チップから発行する光を波長変換材によって波長変換したものである。【選択図】　　　　図１
2004087812.tif 000002
【特許請求の範囲】
【請求項１】
平板状の基板と、この基板の一側面に取り付けた発光チップと、この発光チップの周囲に硬化させ波長変換材を混入したモールド樹脂と、このモールド樹脂の周囲に設けた透光性樹脂とから構成したことを特徴とする発光体。
【請求項２】
前記発光チップに近い基板の一側面には第１撥油性皮膜を配置すると共に、この第１撥油性皮膜の位置より前記発光チップから離れた位置に第２撥油性皮膜を配置し、前記モールド樹脂は第１撥油性皮膜によって半円形状を形成し、前記透光性樹脂は第２撥油性皮膜によって半円形状を形成したことを特徴とする請求項１に記載の発光体。
【請求項３】
前記基板には配線パターンを形成し、この配線パターンと前記発光チップとをワイヤボンディングを行い、ワイヤーを前記第１撥油性皮膜と発光チップ間の領域に設けてモールド樹脂により囲ったことを特徴とする請求項２に記載の発光体。
【請求項４】
平板状の基板と、この基板の一側面に取り付けた発光チップと、この発光チップの周囲に硬化させた屈折率の異なる第１透光性樹脂と、この第１透光性樹脂の周囲に硬化させ波長変換材を混入したモールド樹脂と、このモールド樹脂の周囲に設けた第２透光性樹脂とから構成したことを特徴する発光体。
【発明の詳細な説明】
【０００１】
【発明の属する技術分野】
本発明は、発光チップの外側に波長変換材を設けて、例えば白色光を得るようにした発光体に関する。
【０００２】
【従来の技術】
発光チップの外側に波長変換材を用いて発光波長を変換し、例えば白色や青色等の所望の発光色を得るようにしたものは特開平７−９９３４５号公報や特開平１０−５６２０８号公報に代表される先行技術文献に開示されている。
【０００３】
上述の先行技術文献は、リードフレームにカップを設け、このカップ内に発光チップを載置すると共に、発光チップ全体を発光波長を他の波長に変換する波長変換材を含有した樹脂により包囲しカップ内に充填したもので、発光チップから放出する発光をカップにより発光観測面側に反射させるものである。
【０００４】
【発明が解決しようとする課題】
前述の構成では、波長変換材によって発光チップを包囲するため、波長変換効率が良くなるものの波長を変換した後の発光の指向性が狭く用途が限定された。
【０００５】
又、カップ内に波長変換材を混入した樹脂を充填することから、樹脂領域が小さく波長変換材の混入量が少なくなり、この変換材を混入した樹脂の完成品としての混入量の変動割合が大きくなり、その結果、波長変換後の色調にバラツキを生じやすくなるという欠点がある。
【０００６】
波長変換材の混入量が少ないと（微量）、量の変動割合が大きくなりやすい具体的な説明について、波長変換材を混入した樹脂はカップに充填するため、カップの容積はもともと小さく、このカップの中に入り込んだ樹脂内に存在する波長変換材の量も少なくなるものであり、この結果、変換後の波長が異なり色調にバラツキを生じる欠点がある。
【０００７】
即ち、カップ内に充填する樹脂内に混入させる波長変換材の量を十分に確保できない。
【０００８】
本発明は、波長変換後の発光の指向性を広くし、且つ色調にバラツキがないようにしたものである。
【０００９】
【課題を解決するための手段】
本発明は、平板状の基板と、この基板の一側面に取り付けた発光チップと、この発光チップの周囲に硬化させ波長変換材を混入したモールド樹脂と、このモールド樹脂の周囲に設けた透光性樹脂とから構成したものである。
【００１０】
また、前記発光チップに近い基板の一側面には第１撥油性皮膜を配置すると共に、この第１撥油性皮膜の位置より前記発光チップから離れた位置に第２撥油性皮膜を配置し、前記モールド樹脂は第１撥油性皮膜によって半円形状を形成し、前記透光性樹脂は第２撥油性皮膜によって半円形状を形成したものである。
【００１１】
そして、前記基板には配線パターンを形成し、この配線パターンと前記発光チップとをワイヤボンディングを行い、ワイヤーを前記第１撥油性皮膜と発光チップ間の領域に設けてモールド樹脂により囲ったものである。
【００１２】
さらに、平板状の基板と、この基板の一側面に取り付けた発光チップと、この発光チップの周囲に硬化させた屈折率の異なる第１透光性樹脂と、この第１透光性樹脂の周囲に硬化させ波長変換材を混入したモールド樹脂と、このモールド樹脂の周囲に設けた第２透光性樹脂とから構成したものである。
【００１３】
【発明の実施の形態】
本発明の実施例を図面に基づいて説明する。図１は本発明の発光素子の完成後の断面図、図２は同じく製造過程を示す工程図、図３は同じく応用例を示す断面図である。（１）はその一側面に共通電極と個別電極よりなる配線パターン（図示せず）を形成した平板状の基板、（２）（２）…は前記基板の共通電極と個別電極間に取り付けられワイヤボンディング（３）によって電極と接続した化合物半導体よりなる発光チップ、（４）は前記発光チップ（２）に近い位置となる基板の一側面にスクリーン印刷等によって配置したシリコンやフッ素ポリマーを主成分とする第１撥油性皮膜で、図示していないが平面形状は完全な円形である。（５）は前記第１撥油性皮膜（４）の位置よりも発光チップから離れた位置に配置した第１撥油性皮膜と同じシリコンよりなる第２撥油性皮膜で同様に完全な円形である。
【００１４】
（６）は波長変換材（図示できない）を混入し前記発光チップ（２）の周囲に硬化させたモールド樹脂で、第１撥油性皮膜（４）と発光チップ（２）との間にある領域（７）に設ける。
【００１５】
（８）は前記モールド樹脂（６）の周囲に設けた透光性樹脂である。
【００１６】
つづいて図２に示す工程図を見ながら説明する。予め基板（１）の一側面に所定数の発光チップ（２）を載置して取り付け、このチップと配線パターンとをワイヤボンディング（３）により接続すると共に、スクリーン印刷等によりチップに近い位置とこの位置より若干離れた位置に第１撥油性皮膜（４）と第２撥油性皮膜（５）を配置する（図２（イ））
次に波長変換材を混入したモールド樹脂（６）を発光チップ（２）を包囲しながらワイヤ（９）を囲んで硬化させる。この際、モールド樹脂（６）はその周縁が第１撥油性皮膜（４）によって外側に広がるのを阻止し半円形状に形成される。（図２（ロ））
この第１撥油性皮膜の作用を詳記すると、モールド樹脂（６）により発光チップ（２）をモールドした場合に、第１撥油性皮膜により接触角度（ｎ−ヘキサデカン）が大きくなりこの皮膜を越えて流れ出るのを防止する。
【００１７】
つづいて、モールド樹脂（６）の周囲に透明な透光性樹脂（８）を塗布して硬化させるわけであるが、この場合も前述のモールド樹脂（６）の硬化と同様に、その周縁が第２撥油性皮膜（５）によって外側に広がるのを阻止し半円形状に形成される。そして、最終的な完成品は図１に示すように各樹脂が安定した形状となる。
【００１８】
図３は別な実施例を示すもので、発光チップ（２）の周囲に屈折率の異なる第１透光性樹脂（１０）を硬化し、ついで波長変換材を混入したモールド樹脂を第１透光性樹脂の周囲に塗布し第１撥油性皮膜（４）によって外側に広がるのを阻止した状態で硬化させ、その後、第２透光性樹脂（８）をモールド樹脂（６）の周囲に塗布し第２撥油性皮膜（５）によって外側に広がるのを阻止した状態で硬化させて工程を完了する。
【００１９】
前述の第１透光性樹脂は、発光チップ（２）内部の屈折率により近い屈折率を選定したものである。
【００２０】
【発明の効果】
以上の様に本発明は、平板状の基板の一側面に取り付けた発光チップの周囲に波長変換材を混入したモールド樹脂を硬化させ、このモールド樹脂の周囲に透光性樹脂を設けたものであるから、波長変換材によって得られた、例えば白色光を広い指向性の光源を得ることが可能となる。
【００２１】
また、波長変換材を混入したモールド樹脂をカップ内に充填するものとは異なり、モールド樹脂と透光性樹脂を平板状の基板に取り付けた発光チップの外側に順次硬化させるものであるから、広範囲の領域に硬化でき、その結果、カップや枠等の影響されるものがなく広指向性となる。
【００２２】
そして、モールド樹脂は第１撥油性樹脂により、透光性樹脂は第２撥油性樹脂により、それぞれが半円形状に形成され所望の形状を得ることができ、その形状が安定し複数個の発光チップを用いるアレイの様な場合には色調が揃った光源を得ることができる。
【００２３】
さらに、発光チップの外側に屈折率の異なる第１透光性樹脂を設け、その外側に波長変換材を混入したモールド樹脂を設け、その外側に第２透光性樹脂を設けたものであるから、屈折率の作用により光の取り出しをその屈折率に応じて変更できると共に、第１透光性樹脂の屈折率と波長変換材の組み合わせにより様々な波長の光を取り出すことができる。
【図面の簡単な説明】
【図１】本発明の発光体の断面図である。
【図２】（イ）、（ロ）は同じく製造過程を示す工程図である。
【図３】同じく他の応用例を示す断面図である。
【符号の説明】
１　基板
２　発光チップ
３　ワイヤボンディング
４　第１撥油性皮膜
５　第２撥油性皮膜
６　モールド樹脂
７　領域
８　透光性樹脂（第２透光性樹脂）
９　ワイヤー
１０　第１透光性樹脂
【図１】
2004087812.tif 000003
【図２】
2004087812.tif 000004
【図３】
2004087812.tif 000005